(57)【要約】      （修正有）【課題】短尺クラブで普通のクラブと同様なフォームで練習できるゴルフ練習用マットを提供する。【解決手段】短尺クラブで練習するためのゴルフ練習用マット３であり、この練習用マットが、クラブの長さに応じた高さを有し,クラブを振り抜く方向の前後に下方ほど外に出た脚４を有する台枠1の上にボール２を置くマット３を固定したものであるゴルフ練習用マット。【選択図】図１
0003104836.tif 000002
【実用新案登録請求の範囲】
【請求項１】
短尺クラブで練習するためのゴルフ練習用マットであり、この練習用マットが、クラブの長さに応じた高さを有してクラブを振り抜く方向の前後に下方ほど外に出た脚を有する台枠の上にボールを置くマットを固定したものであるゴルフ練習用マット。
【請求項２】
脚の高さが前後でそれぞれ調整できるものである請求項１のゴルフ練習用マット。
【請求項３】
脚の下端に滑り止めが施されている請求項１又は２のゴルフ練習用マット。
【請求項４】
脚が台枠の中に収納できるようになっている請求項１〜３いずれか１項のゴルフ練習用マット。
【考案の詳細な説明】
【技術分野】
【０００１】
本考案は、短尺クラブ用のゴルフ練習用マットに関するものである。
【背景技術】
【０００２】
短尺クラブでボールを打つと、ミート率が上がる、スイング軌道が安定する、体重をボールに乗せる感触が覚えられるといった長所があるといわれている。しかし、クラブが短いと、アドレスやインパクトのときに腰の角度（スパイアングル）を深くしなければならなかったり、膝を大きく折らなければならなかったりと、通常のクラブで打つ場合とスイング姿勢が変わり、すなわち、フォームが崩れるから、この点での弊害がある。
【０００３】
そこで、クラブの長さに応じた高さを有する台を用意し、この台の上にボールを置いて打つとすると、通常のクラブのスイング姿勢で打つことができ、上記した長所を享受できる。これを可能にするものとして下記特許文献１のものがあるが、これは、単に狭い室内で練習するためのものであって、スイングの向上や矯正を目的とするものではない。また、マットをエアーバッグの上に置いているため、ボールを打ったときの衝撃でこれが沈み込む等、地面の上のボールを打つ場合と違った感触のものになる。さらに、エアーポンプ等を必要として価格が高くなるし、操作も面倒である。
【特許文献１】登録実用新案第３０１５２０５号公報
【考案の開示】
【考案が解決しようとする課題】
【０００４】
本考案が解決しようとする課題は、地面にあるボールを打つのと変わらないスイング姿勢で短尺クラブで実際にボールが打てるようにしたものである。
【課題を解決するための手段】
【０００５】
以上の課題の下、本考案は、請求項１に記載した、短尺クラブで練習するためのゴルフ練習用マットであり、この練習用マットが、クラブの長さに応じた高さを有してクラブを振り抜く方向の前後に下方ほど外に出た脚を有する台枠の上にボールを置くマットを固定したゴルフ練習用マットを提供する。
【０００６】
これにおいて、本考案は、請求項２の、脚の高さが前後でそれぞれ調整できるものである手段、請求項３の、脚の下端に滑り止めが施されている手段、請求項４の、脚が台枠の中に収納できるようになっている手段を提供する。
【考案の効果】
【０００７】
本考案に係るゴルフ練習用マットによれば、クラブが短いだけであって後は通常のボールを打つのと変わらないから、姿勢、フォームを変えないで短尺クラブによるスイングの利点を享受することができる。もちろん、室内等の狭い場所でもフルスイングできる。これにおいて、マットを置く台枠は、高さも調整できるから、体格やクラブの長さに応じて対応できるし、滑り止めが施されて動くこともないから、安定して安全である。また、台枠の中に収納できるから、収納や持ち運びにも便利である。
【考案を実施するための最良の形態】
【０００８】
以下、本考案の実施の形態を図面を参照して説明する。図１は本考案の一例を示すゴルフ練習用マット（以下、練習用マット）であるが、この練習用マットは、地面に置かれる台枠１と、台枠１の上に固定されてボール２を置くマット３とからなる。台枠１は、金属、木材、硬質樹脂等の強度のある材質で構成されて正面視台形をしたもので、クラブを振り抜く方向の前後に下方ほど外に出た脚４で天板５を支えたものである。マット３は、植毛３ａがされて中央に白線３ｂ等が引かれた通常の練習に使用されるものでよく、天板５の上に適宜ビス、接着剤、両面テープ等によって固定される。
【０００９】
図５はこの練習用マットを用いてスイングの練習をしている場合の正面図であるが、この場合、短尺クラブ６を使用する。この短尺クラブ６の長さは、個人差にもよるが、一般に５０〜７０ｃｍ程度がよいといわれている。そして、このとき、ウェイトを付加して通常より重いクラブにすると、より効果が高いともいわれている。なお、クラブの種類については問わないが、７番アイアン程度が効果が高いといわれている。
【００１０】
以上のマット３の上にボール２を置き、これを短尺クラブ６を用いて実際に打つ。このように、短尺クラブ６を用いれば、スイングがコンパクトになってミート率が上がる、クラブがコントロールし易くなってスイング軌道が安定する、しっかり打たないと飛ばないから、体重をボールに乗せる感触が覚えられるといった長所があるといわれている。そして、この練習において、通常のクラブと変わらない飛距離が出るようになれば、上達したといわれている。なお、マット３にティーを差し込む孔３ｃをあけておけば（これに伴って天板５にも孔５ａをあけておく）、これにティーを差し込むことで、ティーアップしたボール２を打つことも可能になる。
【００１１】
もちろん、この練習では短尺クラブ６を使用するから、狭い室内においてもフルスイングできる。そして、室内で実際にボール２を打つときには、スポンジやセルロイドといった軟らかいボールを用いれば、壁や建具を壊すこともない。この点で、寒冷地の冬季の練習等に用いて好適である。
【００１２】
図２は台枠１の一部斜視図、図３は一部断面図であるが、脚４を上下に動かせるようにして台枠１（マット３）の高さを調整できるようにしたものである。体格やクラブの長さに対応できるようにするためである。具体的には、台枠１の前後をある程度長くした下延部１ａにしておき、この下延部１ａに脚４をスライド式で取り付けたものである。すなわち、脚４の適所（本例では左右二カ所）に上下に長孔７を形成し、この長孔７と台枠１との間でボルト８を通して固定するようにしたものである。この場合、脚４の方を内側にして安全を確保している。
【００１３】
この場合のボルト８を締めるナット９は蝶ナットにして操作を容易（工具不要）にしている。そして、長孔７に目盛１０を付しておけば、脚４（マット３）の高さを知ることができる。この調整は、台枠１の前後でそれぞれできるようにしておく。したがって、台枠１（マット２）を前後に傾けるようなことも可能であるから、左足上がり、左足下がりの練習も可能になる。さらに、脚４を身体の遠近方向に傾けてセットすることも可能であるから、前上がり、前下りの練習も可能になる。
【００１４】
ところで、以上の下延部１ａや脚４は、ボール２を打ったときの衝撃で動いたり、変形したりしないために下方ほど外方に出っ張った傾斜型にしておく。加えて、脚４の下端には滑り止め１１を施して位置がずれないようにしておく。特に、このときの衝撃は非常に大きいから、滑り止め１１の存在は非常に重要である。この滑り止め１１には種々の構造が考えられるが、もっとも一般的なのは、下端を凹凸に形成しておくことである。なお、室内の畳や板の上に置くときを考えて滑り難いゴム製の足等（図示省略）を履かせたものでもよい。
【００１５】
図４は本考案の他の例を示す台枠１の一部斜視図であるが、本例のものは、下延部１ａの一部と脚４とが台枠１の中に収納できるようにしたものである。具体的には、下延部１ａを上下に分断し、これを蝶番１２で連結して屈折できるようにしたものである。したがって、使用するときには、下方下延部１ａｂ（脚４も）を外側に出し、上方下延部１ａａとの間に設けられる掛け金１３で固定するようにしたものである。
【００１６】
そして、収納するときには、掛け金１３を外して下方下延部１ａｂを蝶番１２で回して台枠１の中に折り畳めばよく、こうすると、全体がコンパクトになって収納や持ち運びに便利になる。この練習用マットを練習場に持って行ってそこで使用することが多いが、そのようなときに便利になる。もちろん、我が家で練習するときも便利になる。
【図面の簡単な説明】
【００１７】
【図１】本考案に係る練習用マットの斜視図である。
【図２】本考案に係る練習用マットの一部斜視図である。
【図３】本考案に係る練習用マットの一部断面図である。
【図４】本考案に係る練習用マットの一部斜視図である。
【図５】本考案に係る練習用マットを使用してスイングの練習をしているときの正面図である。
【符号の説明】
【００１８】
１    台枠
１ａ  下延部
１ａａ上方下延部
１ａｂ下方下延部
２    ボール
３    マット
３ａ  植毛
３ｂ  白線
３ｃ  孔
４    脚
５    天板
５ａ  孔
６    短尺クラブ
７    長孔
８    ボルト
９    蝶ナット
１０  目盛
１１  滑り止め
１２  蝶番
１３  掛け金
【図１】
0003104836.tif 000003
【図２】
0003104836.tif 000004
【図３】
0003104836.tif 000005
【図４】
0003104836.tif 000006
【図５】
0003104836.tif 000007